(57)【要約】【課題】押さえ具のトイレ本体への磁気的吸着により、トイレ本体に敷設したシーツを確実に固定すると共に、シーツの交換も容易で、しかも、トイレ本体の掃除が極めて簡単なペット用トイレを提供する。【解決手段】本考案に係るペット用トイレは、トイレ本体１と、トイレ本体１に敷設したシーツ２と、シーツ２の押さえ具３とからなり、押さえ具３は、トイレ本体１の所定の位置に設置された金属Ｉに吸着する磁石Ｍを備え、或いは、トイレ本体１の所定の位置に設置された磁石Ｍに吸着する磁石Ｍ若しくは金属Ｉを備え、トイレ本体１へ磁気的吸着によりシーツ２をトイレ本体１に固定する。【選択図】　　　　　図１
0003097283.tif 000002
【実用新案登録請求の範囲】
【請求項１】
トイレ本体と、トイレ本体に敷設したシーツと、シーツの押さえ具とからなり、押さえ具は、トイレ本体の所定の位置に設置された金属に吸着する磁石を備え、或いは、トイレ本体の所定の位置に設置された磁石に吸着する磁石若しくは金属を備え、トイレ本体への磁気的吸着によりシーツをトイレ本体に固定することを特徴とするペット用トイレ。
【請求項２】
押さえ具は、シーツの周囲全体若しくはその一部をトイレ本体に固定する請求項１に記載のペット用トイレ。
【請求項３】
押さえ具の磁石若しくは金属は、押さえ具の内側若しくは外側のいずれかに設置され、トイレ本体の磁石若しくは金属も、トイレ本体の内側若しくは外側のいずれかに設置されている請求項１または２に記載のペット用トイレ。
【請求項４】
押さえ具は、枠状に形成されている請求項１乃至３のいずれかに記載のペット用トイレ。
【請求項５】
押さえ具は、棒状に形成されている請求項１乃至３のいずれかに記載のペット用トイレ。
【請求項６】
押さえ具は、駒状に形成されている請求項１乃至３のいずれかに記載のペット用トイレ。
【請求項７】
押さえ具は、ヒンジ部を介してトイレ本体に回動可能に取り付けられている請求項４乃至６のいずれかに記載のペット用トイレ。
【請求項８】
押さえ具は、滑り止め用の摩擦部材を備えている請求項１乃至７のいずれかに記載のペット用トイレ。
【請求項９】
シーツを敷設するトイレ本体の周囲に内向きの傾斜面を設けてトイレ本体の全体に凹部を形成し、この凹部にシーツと押さえ具を配置し、押さえ具の底部に、トイレ本体の傾斜面に合致する傾斜面を設けている請求項１乃至８のいずれかに記載のペット用トイレ。
【請求項１０】
シーツを敷設するトイレ本体の周囲に所定の高さの壁を立設してトイレ本体の全体に凹部を形成し、この凹部にシーツと押さえ具を配置した請求項１乃至９のいずれかに記載のペット用トイレ。
【請求項１１】
トイレ本体のシーツを敷設する面、及び、押さえ具のシーツへの当接面が、フラット状に形成されている請求項１乃至１０のいずれかに記載のペット用トイレ。
【請求項１２】
押さえ具は、所定形状の押圧体と、押圧体の下面に配置した板状の磁石若しくは金属と、押圧体の下面に磁石若しくは金属を固定するカバー体とから成る請求項１乃至１１のいずれかに記載のペット用トイレ。
【考案の詳細な説明】
【０００１】
【考案の属する技術分野】
本考案は、犬や猫等のペットが使用するペット用トイレであり、特に、トイレ本体に敷設したシーツを、磁気的吸着によりトイレ本体に固定する押さえ具を備えているペット用トイレに関するものである。
【０００２】
【従来の技術】
従来のペット用トイレは、トイレ本体と、トイレ本体に敷設したシーツと、シーツをトイレ本体に固定する押さえ枠を備えているものが一般的である。
【０００３】
このようなペット用トイレにおいては、例えば、図１０に示すように、トイレ本体１００の周囲に上向きの突片１０１を設け、このトイレ本体１００の突片１０１を跨ぐように押さえ枠１０２に一対の下向きの突片１０３を設け、トイレ本体１００に設けた上向きの突片１０１と、押さえ枠１０２に設けた一対の下向きの突片１０３によりシーツ１０４の縁を挟んでトイレ本体１００にシーツ１０４を固定していた（例えば、特許文献１参照）。
【０００４】
【特許文献１】
特開平８−５６５２２号公報
【０００５】
【考案が解決しようとする課題】
しかしながら、上述した従来のペット用トイレにおけるシーツの固定構造では、例えば、トイレ本体に設けた上向きの突片と、この突片を跨ぐように押さえ枠に設けた一対の下向きの突片によりシーツを挟み込むため、トイレ本体と押さえ枠に複数の凹凸部が形成されることとなり、突片の基端部近傍にいわゆる隅部が生じる。
【０００６】
そして、この隅部にペットの尿や糞等が付着すると、汚れをきれいに落とすことが困難で、ペット用トイレの掃除が非常に面倒となる弊害が生じていた。
【０００７】
そこで、本考案は叙上のような従来存した諸事情に鑑み創出されたもので、トイレ本体に敷設したシーツを確実に固定すると共に、シーツの交換も容易で、しかも、トイレ本体の掃除が極めて簡単なペット用トイレを提供することを目的とする。
【０００８】
【課題を解決するための手段】
上述した課題を解決するため、本考案に係るペット用トイレは、トイレ本体と、トイレ本体に敷設したシーツと、シーツの押さえ具とからなり、押さえ具は、トイレ本体の所定の位置に設置された金属に吸着する磁石を備え、或いは、トイレ本体の所定の位置に設置された磁石に吸着する磁石若しくは金属を備え、トイレ本体への磁気的吸着によりシーツをトイレ本体に固定することで、上述した課題を解決した。
【０００９】
また、押さえ具は、シーツの周囲全体若しくはその一部をトイレ本体に固定することで、同じく上述した課題を解決した。
【００１０】
さらに、押さえ具の磁石若しくは金属は、押さえ具の内側若しくは外側のいずれかに設置され、トイレ本体の磁石若しくは金属も、トイレ本体の内側若しくは外側のいずれかに設置されていることで、同じく上述した課題を解決した。
【００１１】
また、押さえ具は、枠状に形成されていることで、同じく上述した課題を解決した。
【００１２】
加えて、押さえ具は、棒状に形成されていることで、同じく上述した課題を解決した。
【００１３】
また、押さえ具は、駒状に形成されていることで、同じく上述した課題を解決した。
【００１４】
この他、押さえ具は、ヒンジ部を介してトイレ本体に回動可能に取り付けられていることで、同じく上述した課題を解決した。
【００１５】
また、押さえ具は、滑り止め用の摩擦部材を備えていることで、同じく上述した課題を解決した。
【００１６】
さらに、シーツを敷設するトイレ本体の周囲に内向きの傾斜面を設けてトイレ本体の全体に凹部を形成し、この凹部にシーツと押さえ具を配置し、押さえ具の底部に、トイレ本体の傾斜面に合致する傾斜面を設けていることで、同じく上述した課題を解決した。
【００１７】
また、シーツを敷設するトイレ本体の周囲に所定の高さの壁を立設してトイレ本体の全体に凹部を形成し、この凹部にシーツと押さえ具を配置したことで、同じく上述した課題を解決した。
【００１８】
加えて、トイレ本体のシーツを敷設する面、及び、押さえ具のシーツへの当接面が、フラット状に形成されていることで、同じく上述した課題を解決した。
【００１９】
また、押さえ具は、所定形状の押圧体と、押圧体の下面に配置した板状の磁石若しくは金属と、押圧体の下面に磁石若しくは金属を固定するカバー体とから成ることで、同じく上述した課題を解決した。
【００２０】
【考案の実施の形態】
以下に、図面を参照して本考案の第１の実施の形態を説明する。本考案に係るペット用トイレは、例えば、犬や猫等のペットが、トイレとして使用するものである。このペット用トイレは、図１（ａ）に示すように、トイレ本体１と、トイレ本体１に敷設したシーツ２と、シーツ２の押さえ具３とからなる。このトイレ本体１と押さえ具３は、例えば、合成樹脂等を用いて形成されている。
【００２１】
トイレ本体１は、図１（ａ）に示すように、所定の厚みを有する長方形状に形成されている。このトイレ本体１は、例えば、図１（ｂ）に示すように、長方形の板の周囲全体を下方に向けて折曲し、トイレ本体１で所定の厚みを備えている。また、トイレ本体１のシーツ２を敷設する表面を、フラット状に形成している。さらに、トイレ本体１の裏面側は、所定の空間を備えた構成となっている。
【００２２】
このトイレ本体１の表面に敷設するシーツ２は、トイレ本体１の形状に合わせて、長方形状に形成されている。
【００２３】
一方、押さえ具３は、トイレ本体１への磁気的吸着により、トイレ本体１に敷設したシーツ２を固定するものである。この押さえ具３は、図１（ａ）に示すように、トイレ本体１の形状に合わせて、長方形の枠状に形成されている。このように押さえ具３を枠状に形成することにより、トイレ本体１に敷設したシーツ２の周囲全体を押さえ具３によりしっかりと固定できる。
【００２４】
この押さえ具３は、図１（ｂ）に示すように、トイレ本体１における裏面側の周囲に設置した金属Ｉに吸着する磁石Ｍを備えている。或いは、押さえ具３は、トイレ本体１における裏面側の周囲に設置した磁石Ｍに吸着する磁石Ｍ若しくは金属Ｉを備えている。トイレ本体１に設置した金属Ｉ若しくは磁石Ｍは、いずれも細長い薄板であり、トイレ本体１の周囲に沿って全体で長方形の枠を形成するようにトイレ本体１に設置されている。
【００２５】
そして、トイレ本体１に敷設したシーツ２を固定する押さえ具３も長方形の枠状に形成され、この枠の下面に細長い薄板である磁石Ｍ若しくは金属Ｉを備えることで、押さえ具３の磁石Ｍ若しくは金属Ｉは、全体で長方形の枠を形成している。
【００２６】
押さえ具３の具体的な構成は、例えば、図１（ａ）・（ｂ）に示すように、長方形の枠状で、断面が下向きの略コ字形に形成された押圧体３Ａと、押圧体３Ａの下面に配置した板状の磁石Ｍ若しくは金属Ｉと、同じく長方形の枠状で、断面が上向きの略コ字形に形成されたカバー体３Ｂとから成る。カバー体３Ｂは、上向きの両垂設片の内壁が、下方から押圧体３Ａの側壁の外側に嵌合し、押圧体３Ａの下面に配置した磁石Ｍ若しくは金属Ｉを、押圧体３Ａとカバー体３Ｂにより挟み込んで、磁石Ｍ若しくは金属Ｉを押圧体３Ａの下面に固定している。
【００２７】
また、図１（ｃ）に示すように、シーツ２を敷設するトイレ本体１の周囲に内向きの傾斜面４を設けて、トイレ本体１の全体に凹部１０を形成しても良い。このとき、シーツ２を固定する押さえ具３の底部に、トイレ本体１の傾斜面４に合致する傾斜面５を設ける。そして、トイレ本体１における内向きの傾斜面４の裏側には、磁石Ｍ若しくは金属Ｉのいずれかが設置されている。また、押さえ具３は、枠を構成する押圧体３Ａの両側壁において、内側の側壁を長く形成し、外側の側壁を短く形成することで、押圧体３Ａの下面に配置した板状の磁石Ｍ若しくは金属Ｉを、トイレ本体１の傾斜面４に合致するように傾けている。これにより、押圧体３Ａの下面に磁石Ｍ若しくは金属Ｉを固定するカバー体３Ｂも、トイレ本体１の傾斜面４に合致する傾斜面５を備えることとなる。
【００２８】
この他、図１（ｂ）に示すように、トイレ本体１のシーツ２を敷設する面、及び、押さえ具３のシーツ２への当接面を、平らとなるフラット状に形成している。また、図１（ｃ）に示すように、トイレ本体１のシーツ２を敷設する面、及び、押さえ具３のシーツ２への当接面が、若干の高さ幅を備えたフラット状に形成しても良い。
【００２９】
尚、押さえ具３の磁石Ｍ若しくは金属Ｉは、押さえ具３のカバー体３Ｂの外側に設置されていても良い。また、トイレ本体１の磁石Ｍ若しくは金属Ｉも、トイレ本体１の表面に設置しても良い。
【００３０】
次に、上述した第１の実施の形態におけるペット用トイレの使用の一例を説明する。まず、ペット用トイレを使用するときは、図１（ａ）に示すように、トイレ本体１の表面にシーツ２を敷設し、シーツ２の上方から押さえ具３を載せる。このとき、トイレ本体１に敷設したシーツ２の周囲全体は、押さえ具３のトイレ本体１への磁気的吸着により、押さえ具３とトイレ本体１で挟み込まれた状態となり、シーツ２がトイレ本体１に固定される。そして、シーツ２が汚れたときは、トイレ本体１から押さえ具３を取り外し、新しいシーツ２に交換してから、再び押さえ具３をシーツ２の上に載せて、トイレ本体１にシーツ２を固定する。
【００３１】
図２には、本考案に係る第２の実施の形態が示されている。尚、以下に述べる第２乃至第９の実施の形態において、第１の実施の形態における構成と略同じ部分には、同じ符号を付すことで、その詳細な説明を省略する。
【００３２】
この第２の実施の形態は、図２（ａ）・（ｂ）に示すように、シーツ２を敷設するトイレ本体１の周囲に所定の高さの壁８を立設してトイレ本体１の表面全体に凹部１０を形成し、この凹部１０にシーツ２と押さえ具３を配置している。
【００３３】
従って、トイレ本体１の凹部１０にシーツ２を敷設し、押さえ具３をシーツ２の上に乗せたときは、トイレ本体１の凹部１０に押さえ具３が嵌合した状態となる。すなわち、押さえ具３のカバー体３Ｂの両垂設片の外側が、トイレ本体１の凹部１０を形成する壁８の内側に当接し、シーツ２をしっかりとトイレ本体１の凹部１０に固定するのである。
【００３４】
図３には、本考案に係る第３の実施の形態が示されている。この第３実施の形態は、図３（ａ）に示すように、押さえ具３を枠状に形成し、この押さえ具３をヒンジ部６を介してトイレ本体１に回動可能に取り付けている。
【００３５】
具体的には、図３（ａ）に示すように、トイレ本体１の表面がフラット状に形成されているトイレ本体１の端部に一対のヒンジ部６を設け、押さえ具３の端部をこのヒンジ部６に固定している。
【００３６】
また、図３（ｂ）に示すように、シーツ２を敷設するトイレ本体１の周囲に所定の高さの壁８を立設してトイレ本体１の表面全体に凹部１０を形成し、この凹部１０における端部の所定の位置に一対のヒンジ部６設け、押さえ具３の端部をこのヒンジ部６に固定している。
【００３７】
この第３の実施の形態では、押さえ具３のヒンジ部６と反対側の端部を手で持ち上げることで、シーツ２を挟み込んでいる押さえ具３を回動させ、シーツ２の交換等が極めて簡単となる。尚、棒状の押さえ具３を、ヒンジ部６を介してトイレ本体１に取り付けても良い。また、駒状の押さえ具３に所定の棒部材を取り付け、この棒部材をヒンジ部６に固定し、駒状の押さえ具３をトイレ本体１に回動可能に取り付けて良い。
【００３８】
図４には、本考案に係る第４の実施の形態が示されている。この第４の実施の形態は、図４（ａ）に示すように、駒状の押さえ具３を用いている。この押さえ具３は、例えば、図４（ｂ）に示すように、円形の押圧体３Ａと、押圧体３Ａの下面に配置した円形板状の磁石Ｍ若しくは金具Ｉと、上向きの円形に形成されたカバー体３Ｂとから成る。カバー体３Ｂは、上向きの垂設片の内壁が、下方から押圧体３Ａの側壁の外側に嵌合し、押圧体３Ａの下面に配置した磁石Ｍ若しくは金属Ｉを、押圧体３Ａとカバー体３Ｂにより挟み込んで、磁石Ｍ若しくは金属Ｉを押圧体３Ａの下面に固定している。
【００３９】
そして、トイレ本体１の裏面の四隅に磁石Ｍ若しくは金属Ｉのいずれかを設置し、トイレ本体１の表面にシーツ２を敷設し、シーツ２の四隅に押さえ具３を配置して、トイレ本体１にシーツ２を固定している。また、押さえ具３の上部には把手部３Ｃが設けられ、押さえ具３を手でつまみ易くしている。
【００４０】
図５には、本考案に係る第５の実施の形態が示されている。この第５の実施の形態は、図５（ａ）に示すように、押さえ具３を、棒状に形成している。この押さえ具３は、長方形に形成されたトイレ本体１における短辺に合致する長さを有している。また、押さえ具３は、蒲鉾形の押圧体３Ａと、押圧体３Ａの下面に配置した板状の磁石Ｍ若しくは金属Ｉと、長方形で断面が上向きの略コ字形に形成されたカバー体３Ｂとから成る。
【００４１】
そして、押さえ具３は、図５（ｂ）に示すように、カバー体３Ａの長手方向における両端部と中央部の計３箇所に、板状の磁石Ｍ若しくは金属Ｉを設置している。同様に、トイレ本体１における両短辺の裏面においても、両端部と中央部の計３箇所に、板状の磁石Ｍ若しくは金属Ｉを設置している。
【００４２】
図６には、本考案に係る第６の実施の形態が示されている。この第６の実施の形態は、押さえ具３を、駒状に形成している。そして、図６（ａ）・（ｂ）に示すように、シーツ２を敷設するトイレ本体１の周囲に所定の高さの壁８を立設してトイレ本体１の全体に凹部１０を形成し、この凹部１０の四隅に押さえ具３を配置している。この押さえ具３は、トイレ本体１の凹部１０における直角な隅部に合致するよう、全体が略直角三角形状に形成されている。
【００４３】
図７には、本考案に係る第７の実施の形態が示されている。この第７の実施の形態は、押さえ具３を、棒状に形成している。そして、シーツ２を敷設するトイレ本体１の周囲に所定の高さの壁８を立設してトイレ本体１の全体に凹部１０を形成し、この凹部１０の両短辺に押さえ具３を配置している。
【００４４】
図８には、本考案に係る第８の実施の形態が示されている。この第８の実施の形態は、図８（ａ）に示すように、押さえ具３を棒状に形成している。そして、図８（ｂ）に示すように、押さえ具３のカバー体３Ｂの内側において、その両端部に磁石Ｍ若しくは金属Ｉを設置している。また、カバー体３Ｂの中央部分を若干上方に突出させてカバー体３Ｂの外側に凹部を設け、この凹部にゴム板等の滑り止め用の摩擦部材７を備えている。
【００４５】
この他、図８（ｃ）に示すように、押さえ具３のカバー体３Ｂの外側の両端部に凹部を設け、この凹部に磁石Ｍ若しくは金属Ｉはを設置しても良い。同様に、トイレ本体１における表面の両端部に凹部を設け、この凹部に磁石Ｍ若しくは金属Ｉを設置しても良い。
【００４６】
図９には、本考案に係る第９の実施の形態が示されている。この第９の実施の形態は、トイレ本体１の磁石Ｍ若しくは金属Ｉの内側に上向きの突片１１を設けている。そして、このトイレ本体１の突片１１を跨ぐように押さえ具３に一対の下向きの突片１２を設け、トイレ本体１に設けた上向きの突片１１と、押さえ具３に設けた一対の下向きの突片１２によりシーツ２の縁を挟んでトイレ本体１にシーツ２を固定している。
【００４７】
【考案の効果】
本考案に係るペット用トイレは、トイレ本体１と、トイレ本体１に敷設したシーツ２と、シーツ２の押さえ具３とからなり、押さえ具３は、トイレ本体１の所定の位置に設置された金属Ｉに吸着する磁石Ｍを備え、或いは、トイレ本体１の所定の位置に設置された磁石Ｍに吸着する磁石Ｍ若しくは金属Ｉを備えているため、押さえ具３をトイレ本体１へ磁気的に吸着できる。そのため、押さえ具３のトイレ本体１への取り付け・取り外しがワンタッチで行え、トイレ本体１に敷設したシーツ２の交換等を誰もが即座に行うことができる。
【００４８】
また、押さえ具３が、シーツ２の周囲全体に当接しているときは、トイレ本体１と押さえ具３の全体でシーツ２の周囲を挟み込んで、トイレ本体１にシーツ２を確実に固定できる。その結果、ペットがシーツ２の上に乗ってシーツ２に大きな負荷が加えられたような場合であっても、トイレ本体１に敷設したシーツ２に皺が生じたり、シーツ２の位置がずれることがない。
【００４９】
さらに、押さえ具３が、シーツ２の一部に当接している場合であっても、押さえ具３のトイレ本体１への磁気的吸着により、所定の押圧力をもってシーツ２をトイレ本体１と押さえ具３により挟み込むため、トイレ本体１に敷設したシーツ２を確実に固定できる。
【００５０】
また、押さえ具３の磁石Ｍ若しくは金属Ｉは、押さえ具３の内側若しくは外側のいずれかに設置され、トイレ本体１の磁石Ｍ若しくは金属Ｉも、トイレ本体１の内側若しくは外側のいずれかに設置されているので、押さえ具３を磁気的吸着によりトイレ本体１へ確実に固定できる。このとき、磁石Ｍ若しくは金属Ｉを、押さえ具３とトイレ本体１の内側に設置したときには、ペットの尿や糞等が磁石Ｍや金属Ｉを保持している部分の隙間等に付着する事態を回避して、ペット用トイレの掃除を極めて簡単に行うことができる。
【００５１】
加えて、押さえ具３が枠状に形成されているときは、トイレ本体１と押さえ具３によりシーツ２の周囲全体を挟み込んで、トイレ本体１にシーツ２を確実に固定できる。その結果、ペットがシーツ２の上で激しく動いたような場合であっても、シーツ２の位置がずれることを防止できる。よって、大型のペットや、運動量の多いペットのトイレとして好ましいものとなる。
【００５２】
また、押さえ具３が棒状に形成されているときも、押さえ具３のトイレ本体１への磁気的吸着により、所定の押圧力をもってシーツ２をトイレ本体１と押さえ具３により挟み込むため、トイレ本体１に敷設したシーツ２を確実に固定できる。
【００５３】
この他、押さえ具３が駒状に形成されているときは、トレイ本体１にシーツ２を確実に固定できると共に、シーツ２において可能な限り広い面積をペットのトイレとして有効に活用することができる。よって、シーツ２が比較的に小さく形成されている小型のペットのトイレとして好ましいものとなる。
【００５４】
また、押さえ具３を、ヒンジ部６を介してトイレ本体１に回動可能に取り付けたときには、押さえ具３のヒンジ部６と反対側の端部を手で持ち上げることで、シーツ２を挟み込んでいる押さえ具３を回動させ、シーツ２の交換等が極めて簡単となる。
【００５５】
さらに、押さえ具３が滑り止め用の摩擦部材７を備えているときは、この摩擦部在７がシーツ２に当接して、トイレ本体１に敷設したシーツ２の位置がずれることを確実に阻止できる。
【００５６】
また、シーツ２を敷設するトイレ本体１の周囲に内向きの傾斜面４を設けてトイレ本体１の全体に凹部１０を形成し、この凹部１０にシーツ２と押さえ具３を配置し、押さえ具３の底部に、トイレ本体１の傾斜面４に合致する傾斜面５を設けているときは、トイレ本体１の傾斜面４と押さえ具３の傾斜面５により適度な摩擦力を保持しながらシーツ２を挟み込むため、トイレ本体１に敷設したシーツ２を押さえ具３により確実に固定できる。そして、トイレ本体１の傾斜面４により、シーツ２にしみ込んだ尿がシーツ２の縁部における上方に移動するようなことがなく、シーツ２からの尿の漏れを確実に防止できる。
【００５７】
加えて、シーツ２を敷設するトイレ本体１の周囲に所定の高さの壁８を立設してトイレ本体１の全体に凹部１０を形成し、この凹部１０にシーツ２と押さえ具３を配置したときは、トイレ本体１の壁８により、ペットの尿や糞がトイレ本体１の外側に流れ出る事態を確実に阻止できる。
【００５８】
また、トイレ本体１のシーツ２を敷設する面、及び、押さえ具３のシーツ２への当接面が、フラット状に形成されているので、トイレ本体１等が汚れたときは、これを雑巾等で拭くことで、その汚れを簡単に落とすことができる。また、ペット用トイレ全体がフラット状に形成されているため、ペットの汚れが所定の凹凸部分や細かい隙間等に入り込むこともなく、ペット用トイレの掃除が極めて簡単である。
【００５９】
この他、ペット用トイレの全体がフラット状に形成され、ペット用トイレを構成する部材がシンプルな形状であるため、ペット用トイレの製作が極めて容易となる。その結果、大量生産に適した商品となり、ペット用トイレの製造コストも低く抑えることができる。そして、製造段階において使用する金型も、安価に製作することができる。
【００６０】
また、押さえ具３は、所定形状の押圧体３Ａと、押圧体３Ａの下面に配置した板状の磁石Ｍ若しくは金属Ｉと、押圧体３Ａの下面に磁石Ｍ若しくは金属Ｉを固定するカバー体３Ｂとから成るので、押圧体３Ａの下面に配置した磁石Ｍ若しくは金属Ｉをカバー体３Ｂにより挟んで、磁石Ｍ若しくは金属Ｉを押圧体３Ａの下面に確実に固定できる。
【図面の簡単な説明】
【図１】本考案の第１の実施の形態を示したもので、（ａ）はフラット状のトイレ本体と、トイレ本体に敷設するシーツと、シーツを固定する枠状の押さえ具からなるペット用トイレの分解斜視図、（ｂ）は同様の分解断面図、（ｃ）はトイレ本体と押さえ具の底部に傾斜面を設けているペット用トイレの分解断面図である。
【図２】本考案の第２の実施の形態を示したもので、（ａ）は凹部を備えたトイレ本体を用いたペット用トイレの分解斜視図、（ｂ）は同様の分解断面図である。
【図３】本考案の第３の実施の形態を示したもので、（ａ）は押さえ具をトイレ本体に回動可能に取り付けたペット用トイレの斜視図、（ｂ）は凹部を備えたトイレ本体に押さえ具を回動可能に取り付けたペット用トイレの斜視図である。
【図４】本考案の第４の実施の形態を示したもので、（ａ）は駒状の押さえ具を用いたペット用トイレの分解斜視図、（ｂ）は同様の分解断面図である。
【図５】本考案の第５の実施の形態を示したもので、（ａ）は棒状の押さえ具を用いたペット用トイレの分解斜視図、（ｂ）は同様の分解断面図である。
【図６】本考案の第６の実施の形態を示したもので、（ａ）は駒状の押さえ具をトイレ本体の凹部の四隅に配置したペット用トイレの分解斜視図、（ｂ）は同様の分解断面図である。
【図７】本考案の第７の実施の形態を示したもので、棒状の押さえ具をトレイ本体の凹部に配置したペット用トイレの分解斜視図である。
【図８】本考案の第８の実施の形態を示したもので、（ａ）はフラット状のトイレ本体に棒状の押さえ具を配置したペット用トイレの分解斜視図、（ｂ）は押さえ具に摩擦部材を備えたペット用トイレの分解断面図、（ｃ）はトイレ本体と押さえ具への磁石若しくは金属の取付例を示したペット用トイレの分解断面図である。
【図９】本考案の第９の実施の形態を示したもので、係合する突片によりシーツを挟んだ状態のペット用トイレの分解断面図である。
【図１０】従来のペット用トイレにおける押さえ枠を用いたトイレ本体へのシーツの固定状態を示した断面図である。
【符号の説明】
Ｍ…磁石　　　　　　　　　　　Ｉ…金属
１…トイレ本体　　　　　　　　２…シーツ
３…押さえ具　　　　　　　　３Ａ…押圧体
３Ｂ…カバー体　　　　　　　　３Ｃ…把手部
４…傾斜面　　　　　　　　　　５…傾斜面
６…ヒンジ部　　　　　　　　　７…摩擦部材
８…壁　　　　　　　　　　　１０…凹部
１１…突片　　　　　　　　　　１２…突片
１００…トイレ本体　　　　　　１０１…突片
１０２…押さえ枠　　　　　　　１０３…突片
１０４…シーツ
【図１】
0003097283.tif 000003
【図２】
0003097283.tif 000004
【図３】
0003097283.tif 000005
【図４】
0003097283.tif 000006
【図５】
0003097283.tif 000007
【図６】
0003097283.tif 000008
【図７】
0003097283.tif 000009
【図８】
0003097283.tif 000010
【図９】
0003097283.tif 000011
【図１０】
0003097283.tif 000012